(57)【要約】【課題】撮像装置において、部品を増加することなく、精度良く基板及び撮像素子の位置調整を行うことが可能な構成とする。【解決手段】撮像装置において、撮像素子を搭載する基板と、レンズを保持するレンズ鏡筒と、前記基板及び前記レンズ鏡筒を覆うケースと、を備え、前記基板は、第１Ｖ字部及び第２Ｖ字部を有しており、前記第１Ｖ字部は、光軸に垂直な平面でそれぞれ直線状に延びる、第１直線部と第２直線部とを有しており、前記第２Ｖ字部は、前記光軸に垂直な平面でそれぞれ直線状に延びる、第３直線部と第４直線部とを有しており、前記第１直線部と前記第２直線部との交点は、前記第３直線部と前記第４直線部との交点と、前記光軸に対して垂直な直線に対して対称な位置に配置された構成とする。【選択図】図５
2019029725.tif 000002
【特許請求の範囲】
【請求項１】
撮像素子を搭載する基板と、
レンズを保持するレンズ鏡筒と、
前記基板及び前記レンズ鏡筒を覆うケースと、を備え、
前記基板は、第１Ｖ字部及び第２Ｖ字部を有しており、
前記第１Ｖ字部は、光軸に垂直な平面でそれぞれ直線状に延びる、第１直線部と第２直線部とを有しており、
前記第２Ｖ字部は、前記光軸に垂直な平面でそれぞれ直線状に延びる、第３直線部と第４直線部とを有しており、
前記第１直線部と前記第２直線部との交点は、前記第３直線部と前記第４直線部との交点と、前記光軸に対して垂直な直線に対して対称な位置に配置される、
撮像装置。
【請求項２】
前記基板は略矩形状であって、
前記第１Ｖ字部は、前記基板を形成する一の辺に形成されており、
前記第２Ｖ字部は、前記一の辺に対向する辺に形成されている、
撮像装置。
【請求項３】
前記第１直線部と前記第３直線部とが平行であり、前記第２直線部と前記第４直線部とが平行である、
請求項１または請求項２に記載の撮像装置。
【請求項４】
前記レンズ鏡筒を保持し、前記ケースと連結されるレンズフランジをさらに備え、
前記基板は、前記レンズフランジに固定される、
請求項１から請求項３のいずれか１項に記載の撮像装置。
【請求項５】
前記第１直線部と前記第２直線部とは、光軸に垂直な直線に対して線対称になっており、
前記第３直線部と前記第４直線部とは、光軸に垂直な直線に対して線対称になっている、
請求項１から請求項４のいずれか１項に記載の撮像装置。
【請求項６】
前記第１Ｖ字部及び前記第２Ｖ字部は、それぞれ前記基板の縁部から内側に向かって形成された切欠きである、
請求項１から請求項５のいずれか１項に記載の撮像装置。
【請求項７】
前記基板は、ねじで位置固定されている、
請求項１から請求項６のいずれか１項に記載の撮像装置。
【請求項８】
前記第１直線部と前記第２直線部との内角は略６０度であって、
前記第３直線部と前記第４直線部との内角は略６０度である、
請求項１から請求項７のいずれか１項に記載の撮像装置。
【発明の詳細な説明】
【技術分野】
【０００１】
本発明の一態様は、撮像装置等に関する。
【背景技術】
【０００２】
レンズ鏡筒と、撮像素子が搭載された基板とがケースに収容された撮像装置では、撮像素子の位置が光軸に対して適切な位置となるように、ねじなどの固定具を用いて撮像素子が搭載された基板をケースまたはレンズフランジなどに固定している。例えば、特許文献１には、撮像素子の調整精度を高めるために特殊ワッシャーを用いる構成が開示されている。
【先行技術文献】
【特許文献】
【０００３】
【特許文献１】特開２０１５−５６８１８号公報
【発明の概要】
【発明が解決しようとする課題】
【０００４】
ところが、従来の構成では、例えば、撮像素子を搭載した基板をねじで固定する際に、ねじの回転により基板が回転してしまい、撮像素子が搭載された基板の位置がずれてしまうことがあるなど、光軸に対して撮像素子の位置をずれないよう安定させることが容易ではなかった。
【課題を解決するための手段】
【０００５】
本発明は、上記の課題などを解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
撮像素子を搭載する基板（５）と、
レンズを保持するレンズ鏡筒（２）と、
前記基板及び前記レンズ鏡筒を覆うケース（１、７）と、を備え、
前記基板（５）は、第１Ｖ字部（５２ａ）及び第２Ｖ字部（５２ｂ）とを有しており、
前記第１Ｖ字部は、光軸に垂直な平面でそれぞれ直線状に延びる、第１直線部と第２直線部とを有しており、
前記第２Ｖ字部は、前記光軸に垂直な平面でそれぞれ直線状に延びる、第３直線部と第４直線部とを有しており、
前記第１直線部と前記第２直線部との交点は、前記第３直線部と前記第４直線部との交点と、前記光軸に対して垂直な直線に対して対称な位置に配置される、
撮像装置である。
【０００７】
上記構成の撮像装置では、第１Ｖ字部及び第２Ｖ字部の各直線部に接するよう治具を使いながら基板の位置を調整することで、部品点数を増加させることなく、基板の位置を精度良く調整することができる。これによって、光軸に対する撮像素子の位置を精度良く調整することができる。
【０００８】
上記撮像装置において、好ましくは、
前記基板は略矩形状であって、
前記第１Ｖ字部は、前記基板を形成する一の辺に形成されており、
前記第２Ｖ字部は、前記一の辺に対向する辺に形成されている。
【０００９】
上記構成の撮像装置では、第１Ｖ字部及び第２Ｖ字部を比較的配置しやすい構成にすることができるため、比較的簡易な構成で、光軸に対する撮像素子の位置を精度良く調整することが可能となる。
【００１０】
上記撮像装置において、好ましくは、
前記第１直線部と前記第３直線部とが平行であり、前記第２直線部と前記第４直線部とが平行である。
【００１１】
上記構成の撮像装置によれば、治具を用いて基板の位置を調整する際に、第１Ｖ字部及び第２Ｖ字部に対してバランス良く力が与えられる構成となるため、光軸に対する撮像素子の位置を精度良く調整しやすい構成にすることができる。
【００１２】
上記撮像装置において、好ましくは、
前記レンズ鏡筒を保持し、前記ケースと連結されるレンズフランジ（４）をさらに備え、
前記基板は、前記レンズフランジに固定される。
【００１３】
上記構成の撮像装置によれば、基板及び光軸の位置を安定させやすい構成にすることができる。
【００１４】
上記撮像装置において、好ましくは、
前記第１直線部と前記第２直線部とは、光軸に垂直な直線に対して線対称になっており、
前記第３直線部と前記第４直線部とは、光軸に垂直な直線に対して線対称になっている。
【００１５】
上記構成の撮像装置によれば、治具を用いて基板の位置を調整する際に、治具から基板に対して均等に力を与えやすい構成となるため、より精度良く基板及び光軸の位置を調整させやすい構成にすることができる。
【００１６】
上記撮像装置において、好ましくは、
前記第１Ｖ字部及び前記第２Ｖ字部は、それぞれ前記基板の縁部から内側に向かって形成された切欠きである。
【００１７】
上記構成の撮像装置によれば、比較的容易に基板を成形することができる。
上記撮像装置において、好ましくは、
前記基板は、ねじで位置固定されている。
【００１８】
上記構成の撮像装置によれば、リペア可能な構成としつつ、精度良く基板及び光軸の位置を調整可能な構成にすることができる。また、基板固定のためにねじを回転させても、第１Ｖ字部及び第２Ｖ字部によって位置ずれの発生を抑制する構成とすることができる。
上記撮像装置において、好ましくは、
前記第１直線部と前記第２直線部との内角は略６０度であって、
前記第３直線部と前記第４直線部との内角は略６０度である。
【００１９】
上記構成の撮像装置によれば、適度な角度を持つ直線で形成された第１Ｖ字部及び第２Ｖ字部によって、さらに精度良く基板及び光軸の位置を調整しやすい構成とすることができる。
【図面の簡単な説明】
【００２０】
【図１】図１は、実施形態の撮像装置をフロント側から見た外観斜視図である。
【図２】図２は、実施形態の撮像装置をリア側から見た外観斜視図である。
【図３】図３は、実施形態の撮像装置をフロント側から見た分解斜視図である。
【図４】図４は、実施形態の撮像装置をリア側から見た分解斜視図である。
【図５】図５は、実施形態の基板の拡大図である。
【図６】図６は、実施形態の撮像装置において、レンズ鏡筒、防水シール、レンズフランジ及び基板を連結した状態をリア側から見た斜視図である。
【図７】図７は、実施形態の撮像装置において、治具を用いて基板の位置を調整している状態をリア側から見た斜視図である。
【図８】図８は、比較例１の基板の拡大図である。
【図９】図９は、比較例２の基板の拡大図である。
【発明を実施するための形態】
【００２１】
本発明の撮像装置は、撮像素子を搭載した基板が切欠き状に形成された第１Ｖ字部と第２Ｖ字部を有しており、治具によって基板の位置を精度良く調整可能な構成としている点を特徴のひとつとする。
【００２２】
本明細書では、レンズの中心位置であって、撮像素子に入射する光の中心位置を「光軸」と称する。レンズに対して撮像素子とは反対側に位置する撮像対象を「被写体」と称する。撮像素子に対して被写体が位置する方向を「フロント側」または「光軸方向前方」と称し、被写体に対して撮像素子が位置する方向を「リア側」または「光軸方向後方」と称する。
【００２３】
本発明に係る実施形態について、以下の構成に従って説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態
２．補足事項
【００２４】
＜１．実施形態＞
本発明の実施形態について、図面を参照しながら説明する。図１及び図２は、本実施形態の撮像装置の外観斜視図であって、図１はフロント側から見た図、図２はリア側から見た図である。図３及び図４は、本実施形態の撮像装置の分解斜視図であって、図３はフロント側から見た図、図４はリア側から見た図である。
【００２５】
図示されるように、本実施形態の撮像装置は、フロントケース１、レンズ鏡筒２、防水シール３、レンズフランジ４、基板５、防水シール６、リアケース７、並びに連結ねじ８１ａ、８１ｂ、及び８２ａ〜８２ｄを含んで構成される。
【００２６】
＜フロントケース１＞
フロントケース１は、リアケース７と共に撮像装置の筐体（ケース）を形成する部材であって、樹脂などで形成される。フロントケース１は、光軸方向前方に、光軸を中心とする開口部を有する。フロントケース１の光軸方向後方は、レンズフランジ４及びリアケース７と連結可能に開放されており、光軸を覆うように、光軸に垂直な方向における断面が略矩形状の側面を有している。フロントケース１は、連結ねじ８２ａ〜８２ｄによって、レンズフランジ４及びリアケース７と連結されることで、レンズ鏡筒２、及び基板５などを収容する空間が形成される。図１に示されるように、フロントケース１の光軸方向前方の開口部には、レンズ鏡筒２により保持されたレンズ２１が位置する。
【００２７】
＜リアケース７＞
リアケース７は、上記のように、連結ねじ８２ａ〜８２ｄによりレンズフランジ４、及びフロントケース１と連結されることで、レンズ鏡筒２、及び基板５などを収容する空間を形成する。リアケース７は、光軸に対して略垂直な面を有する板状の面を有する部材である。
【００２８】
＜レンズ鏡筒２＞
レンズ鏡筒２は、光軸方向に伸びる円筒状の部材である。レンズ鏡筒２は、レンズ２１を含む１以上の光学部材を保持する。レンズ鏡筒２に保持される光学部材には、レンズ２１の他に、レンズ、スペーサ、口径板、及び光学フィルタなどが含まれる。レンズ２１を含むレンズは、ガラスまたはプラスチック等の透過性を有する素材で形成され、光軸方向前方からの光を屈折させながら光軸方向後方に透過させる。スペーサは、光軸方向に適度な厚みを有する板状で円環状の部材であり、各レンズの光軸方向の位置を調整する。スペーサは、光軸を含む中心部に開口部を有する。口径板は、通過する光の最外位置を決める。光学フィルタは、所定の波長の光を抑制または遮蔽する。光学フィルタは、例えば、通過する赤外線を抑制する赤外線カットフィルタなどが含まれる。これらの光学部材の種類及び数は、任意に変更可能である。
【００２９】
レンズ鏡筒２の光軸方向後方は円筒状になっており、レンズフランジ４に形成された円状の開口部に挿入される。レンズ鏡筒２の光軸方向後方には開口部が形成されており、光軸方向前方からレンズ鏡筒２に含まれるレンズ２１を含む光学部材を透過し、この開口部を通過した光が、撮像素子５１に照射されることで露光が行われる。
【００３０】
＜防水シール３＞
防水シール３は、ゴムなどの弾性部材により形成された円環状の部材であって、レンズ鏡筒２とレンズフランジ４との間に配置されることで、レンズ鏡筒２とレンズフランジ４とを隙間無く連結させるよう作用する。防水シール３は、レンズ鏡筒２とレンズフランジ４との当接部分に沿った形状をしており、本実施形態では円環状になっている。
【００３１】
＜レンズフランジ４＞
レンズフランジ４は、レンズ鏡筒２の光軸方向後方に配置され、レンズ鏡筒２と嵌合した矩形状で板状の部材である。レンズフランジ４は、開口部を有する。レンズフランジ４の開口部には、レンズ鏡筒２の光軸方向後方の円筒状の部分が挿入され、この位置で、レンズ鏡筒２とレンズフランジ４とがねじ嵌合する。なお、レンズ鏡筒２とレンズフランジ４との嵌合はねじ嵌合に限定されるものではなく、カム嵌合などの螺合、またはその他の径嵌合であっても良い。ただし、レンズ鏡筒２とレンズフランジ４とを螺合させる構成とすると、接着剤の使用量を減少させるかまたは接着剤を使用しない構成にすることができるため好ましい。
【００３２】
レンズフランジ４の四隅近傍には、連結ねじ８２ａ〜８２ｄが挿通される貫通孔が形成される。組立状態において、これらの貫通孔には連結ねじ８２ａ〜８２ｄが挿通され、これによってレンズフランジ４が、フロントケース１及びリアケース７と連結される。
【００３３】
レンズフランジ４の光軸方向後方の面には、連結ねじ８１ａ及び８１ｂによって、基板５が連結される。組立時における、レンズフランジ４と基板５との連結方法については後述する。
【００３４】
＜基板５＞
基板５は、撮像素子５１を含む電子部品が搭載されたリジッド基板である。撮像素子５１に光が照射されることにより取得された電気信号は、基板５に搭載された電子部品により所定の電気処理または信号処理が施された後、撮像装置の外部に画像データとして出力される。
【００３５】
図５は、本実施形態の基板５をリア側から見た拡大図である。図３〜図５に示されるように、基板５は、光軸に垂直な平面において、光軸を中心として互いに直交するとともに、矩形状の基板５の各辺と直交する直線Ａ及びＢを引いたときに一方の直線Ａに重なるよう形成された第１Ｖ字部５２ａ及び第２Ｖ字部５２ｂを有する。第１Ｖ字部５２ａ及び第２Ｖ字部５２ｂは、基板５の外縁部から光軸に向かって切り欠かれた部分であり、それぞれ２本の直線状の部分により形成される。これらの２本の直線状の部分の結合部分は、丸みを帯びた湾曲状になっている。第１Ｖ字部５２ａを形成する一方の直線と、第２Ｖ字部５２ｂを形成する一方の直線とは平行であり、第１Ｖ字部５２ａを形成する他方の直線と、第２Ｖ字部５２ｂを形成する他方の直線とは平行である。また、第１Ｖ字部５２ａを形成する２本の直線は直線Ａを中心として線対称であり、第２Ｖ字部５２ｂを形成する２本の直線は直線Ａを中心として線対称である。基板５において、第１Ｖ字部５２ａ及び第２Ｖ字部５２ｂを形成する直線と、直線Ａとの内角は、いずれも略３０度になっている。つまり、第１Ｖ字部５２ａ及び第２Ｖ字部５２ｂをそれぞれ形成する２本の直線の内角は略６０度である。
【００３６】
図６は、本実施形態の撮像装置において、レンズ鏡筒２、防水シール３、レンズフランジ４、及び基板５を連結した状態をリア側から見た図である。図６に示されるように、基板５は、光軸を中心に対向する位置に形成された切欠部に挿入された連結ねじ８１ａ及び８１ｂによって、レンズフランジ４に連結されている。
【００３７】
撮像素子５１は、照射された光を電気信号に変換する光電変換素子であり、例えばＣ−ＭＯＳセンサやＣＣＤなどであるが、これらに限定されるものではない。また、撮像装置においては、撮像素子５１以外の撮像機能を要する撮像部を採用してもよい。撮像素子は、「撮像部」と呼ばれる場合がある。
【００３８】
なお、本実施形態の撮像装置では、撮像素子５１及び電子部品等を搭載する基板として基板５のみを備える構成を例示して説明しているが、複数の基板を備える構成としても良い。この場合、撮像素子を搭載する基板と、撮像素子以外の電子部品を搭載する基板とを有する構成となる。このような構成において、本実施形態の特徴部分である基板５の第１Ｖ字部及び第２Ｖ字部は撮像素子５１の位置の調整及び固定を主たる目的としているものであるため、第１Ｖ字部及び第２Ｖ字部は撮像素子を搭載する基板についてのみ設けられれば良く、他の基板については設けられる必要はない。
【００３９】
＜防水シール６＞
防水シール６は、防水シール３と同様にゴムなどの弾性部材により形成された部材であって、レンズフランジ４とリアケース７との間に配置されることで、レンズフランジ４とリアケース７とを隙間無く連結させるよう作用する。防水シール６は、レンズフランジ４とリアケース７との連結面に対応した形状となっており、本実施形態の防水シール６は、角部が切り欠かれた矩形状となっている。
【００４０】
＜光軸の位置調整＞
次に、本実施形態の撮像装置における光軸の位置調整について説明するが、まずは、本実施形態の比較例として、本実施形態の形状とは異なる切欠きを有する基板を採用した構成について説明する。
【００４１】
いずれの構成においても、レンズ鏡筒２と連結されたレンズフランジ４に基板５（５４、５６）を連結ねじ８１ａ及び８１ｂによって連結する際、光軸に対する撮像素子５１の位置を調整するため、治具９を用いた位置調整を行う。撮像装置を組み立てる際には、まず、レンズフランジ４に、防水シール３及びレンズ鏡筒２を連結する。レンズフランジ４とレンズ鏡筒２とはねじ嵌合により固定される。
【００４２】
図８は、比較例１の撮像装置における基板５４を示す図である。図８に示されるように、基板５４は、本実施形態と同様に直線Ａに重なるよう形成された切欠部５５ａ及び５５ｂを有するが、その形状がＶ字状ではなく、治具９の突起部９１ａよりも小さい径の円弧状になっている。このような形状の切欠部５５ａ及び５５ｂを有する基板５４の位置調整を行う場合には、治具９は切欠部５５ａ及び５５ｂの縁部に接することとなり、連結ねじを用いて基板５４がレンズフランジ４に固定される際に、治具９が基板５から外れやすくなってしまうため、基板５の位置調整を安定的に行うことが困難になる場合がある。
【００４３】
図９は、比較例２の撮像装置における基板５６を示す図である。図９に示されるように、基板５６は、本実施形態と同様に直線Ａに重なるよう形成された切欠部５７ａ及び５７ｂを有するが、その形状がＶ字状ではなく、治具９の突起部９１ａよりも大きい径の円弧状になっている。このような形状の切欠部５７ａ及び５７ｂを有する基板５６の位置調整を行う場合には、治具９は切欠部５７ａ及び５７ｂを形成する円弧部分の内側に接することとなり、連結ねじを用いて基板５６がレンズフランジ４に固定される際に、治具９と基板５との当接位置が変化する。そのため、基板５の位置調整を安定的に行うことが困難になる場合がある。
【００４４】
一方、本実施形態の撮像装置では、以下のようにして基板５の位置調整が行われる。図７は、治具９を用いて、レンズフランジ４に対する基板５の位置を調整しているところを示す図である。レンズフランジ４に対して基板５の位置を調整する際には、レンズフランジ４に、連結ねじ８１ａ及び８１ｂによって基板５を脱落しないよう仮留めし、この状態で治具９を用いながら基板５の位置を変化させる。治具９は、本体部９２と、本体部９２から突出し先端が円錐状となった円柱状の突起部９１ａ及び９１ｂとを有しており、これらの突起部９１ａ及び９１ｂの円錐状部分を第１Ｖ字部５２ａ及び第２Ｖ字部５２ｂにそれぞれ挿入する。突起部９１ａ及び９１ｂは、第１Ｖ字部５２ａ及び第２Ｖ字部５２ｂの間隔よりもやや狭い間隔で、光軸に水平になるよう形成されているため、突起部９１ａ及び９１ｂの先端の円錐状部分は、第１Ｖ字部５２ａ及び第２Ｖ字部５２ｂを形成する２本の直線のそれぞれと接する状態となり、治具９をフロント側に向かって押圧すると、基板５がフロント側に押圧される。
【００４５】
このように、図７の状態において治具９を移動させることで基板５を移動させることで、撮像素子５１の位置が変化する。光軸に対して撮像素子５１が所望の位置となるよう、治具９を用いて基板５の位置を調整したら、治具９の本体部９２に形成された切欠部９３ａ及び９３ｂからドライバなどの工具を挿入して、連結ねじ８１ａ及び８１ｂを回転させ、基板５をレンズフランジ４に対して固定する。このとき、連結ねじ８１ａまたは８１ｂを回転させたとしても、図５に示されるように、突起部９１ａの外周部は第１Ｖ字部５２ａを形成する２本の直線部のいずれかと点接触したまま位置ずれを起こすことがないため、連結ねじ８１ａまたは８１ｂの回転により基板５の位置がずれてしまったり回転してしまったりすることを抑制することができる。また、治具９の突起部９１ａ及び９１ｂから第１Ｖ字部５２ａ及び第２Ｖ字部５２ｂを介して基板５に与えられる力も適切に分散されることとなるため、基板５及び撮像素子５１の位置調整を精度良く行うことが可能となる。
【００４６】
上記のような本実施形態の撮像装置では、基板５が第１Ｖ字部５２ａ及び第２Ｖ字部５２ｂを有する構成としているため、第１Ｖ字部５２ａ及び第２Ｖ字部５２ｂの各直線部に接するよう治具を使いながら基板５の位置を調整することで、部品点数を増加させることなく、基板５の位置を精度良く調整することができる。これによって、光軸に対する撮像素子５１の位置を精度良く調整することができる。
【００４７】
なお、第１Ｖ字部５２ａ及び第２Ｖ字部５２ｂは、それぞれを形成する２本の直線から基板５に対して与えられる力が、光軸に垂直な平面上の任意の方向に適切に与えられるように形成されれば良く、必ずしも基板５を形成する対向する辺に配置されなくても良い。例えば、第１Ｖ字部５２ａと第２Ｖ字部５２ｂとは、略矩形状の基板５において隣接する辺に配置されても良い。
【００４８】
より具体的には、第１Ｖ字部５２ａを形成する２本の直線の延長線にある交点（図５では直線Ａ上の点）、及び第２Ｖ字部５２ｂを形成する２本の直線の延長線にある交点（図５では直線Ａ上の点）が、光軸に対して垂直な直線（図５では直線Ｂ）に対して、対称な位置に配置されるよう構成する。このとき、直線Ｂに対応する直線は、光軸に対して垂直な、任意の方向に延びる直線とすることができる。例えば、図５において、直線Ｂが対角線上に延びる直線とすると、第１Ｖ字部と第２Ｖ字部とは、基板５を形成する矩形状部分において隣接する辺に配置されることとなる。
【００４９】
また、基板５は、必ずしも矩形状（または略矩形状）な形状である必要はなく、多角形状または円状などの形状であっても良い。
【００５０】
また、第１Ｖ字部５２ａ及び第２Ｖ字部５２ｂを形成する直線部分は、必ずしも互いに平行となる直線部分を有する構成としなくても良い。ただし、第１Ｖ字部５２ａを構成する一の直線と第２Ｖ字部５２ｂを構成する一の直線とを平行にし、第１Ｖ字部５２ａを構成する他の直線と第２Ｖ字部５２ｂを構成する他の直線とを平行にすると、治具９から基板５に対してバランス良く力が与えられる構成とすることができるため好ましい。
【００５１】
また、第１Ｖ字部５２ａ及び第２Ｖ字部５２ｂは、必ずしも直線Ａに重なるよう形成されなくても良いが、治具９を用いて安定的にかつ精度良く位置調整を行うことを可能にするため、光軸を中心として互いに逆方向の位置（対向する位置）に配置されることが好ましい。
【００５２】
また、本実施形態の撮像装置では、レンズフランジ４を備える構成としているため、基板５及び光軸の位置を安定させやすい構成にすることができる。
【００５３】
また、本実施形態の撮像装置では、第１Ｖ字部５２ａ及び第２Ｖ字部５２ｂを形成するそれぞれ２本の直線部分が、光軸に垂直な直線Ａに対して線対称になっている。言い換えれば、第１Ｖ字部を形成する直線の交点と第２Ｖ字部５２ｂを形成する直線の交点とを結ぶ直線（すなわち直線Ａ）に対して、第１Ｖ字部５２ａ及び第２Ｖ字部５２ｂを形成する２本の直線はそれぞれ対称になっている。そのため、治具９を用いて基板５の位置を調整する際に、治具９から基板５に対して均等に力を与えやすい構成となり、より精度良く基板５及び光軸の位置を調整させやすい構成にすることができる。
【００５４】
また、本実施形態の撮像装置では、第１Ｖ字部５２ａ及び第２Ｖ字部５２ｂが、それぞれ基板５の縁部から内側に向かって形成された切欠き状の部分であるため、第１Ｖ字部５２ａ及び第２Ｖ字部５２ｂが基板５の縁部から内側の貫通孔として形成されている場合と比較して、比較的容易に基板を成形することができる。
【００５５】
ただし、第１Ｖ字部５２ａ及び第２Ｖ字部５２ｂは、本実施形態のような切欠きではなく、基板５の縁部より内側に形成された貫通孔であっても良い。この場合、第１Ｖ字部５２ａ及び第２Ｖ字部５２ｂは、それぞれ本実施形態のような２本の直線部分を有する貫通孔となる。
【００５６】
また、本実施形態の撮像装置では、基板５が連結ねじ８１ａ及び８１ｂによってレンズフランジ４に固定されているため、基板５とレンズフランジ４とを一度連結した後に分解することが可能であり、リペア可能な構成にしつつ、精度良く基板５及び光軸の位置を調整可能にすることができる。また、基板５をレンズフランジ４に固定するために連結ねじ８１ａ及び８１ｂを回転させても、第１Ｖ字部５２ａ及び第２Ｖ字部５２ｂを有する構成としていることにより位置ずれの発生を抑制する構成とすることができる。
【００５７】
また、本実施形態の撮像装置では、第１Ｖ字部５２ａ及び第２Ｖ字部５２ｂを形成する２本の直線部分の内角がそれぞれ略６０度になっているため、適度な角度を持つ直線で形成された第１Ｖ字部５２ａ及び第２Ｖ字部５２ｂによって、さらに精度良く基板５及び光軸の位置を調整しやすい構成とすることができる。
【００５８】
なお、第１Ｖ字部５２ａ及び第２Ｖ字部５２ｂを形成する直線の内角は略６０度に限定されるものではなく、任意に設定可能である。ただし、第１Ｖ字部５２ａ及び第２Ｖ字部５２ｂを形成する直線の内角は、６０度〜９０度程度にすることが、基板５の安定性及び基板５のスペースなどの観点から好ましい。もちろん、これらの角度に限定されるものではない。
【００５９】
＜２．補足事項＞
以上、本発明の実施形態についての具体的な説明を行った。上記説明では、あくまで一実施形態としての説明であって、本発明の範囲はこの一実施形態に留まらず、当業者が把握可能な範囲にまで広く解釈されるものである。
【００６０】
また、実施形態の撮像装置では、撮像素子５１を搭載した１つの基板５を有する構成を例示して説明したが、複数の基板を有する構成としても良い。この場合、一の基板が撮像素子を搭載し、他の基板が電子部品を搭載する構成となる。
【００６１】
また、フロントケース１及びリアケース７は、実施形態のような構成に限定されるものではない。例えば、フロントケース１が光軸方向に略垂直な平面を形成する板状部材で、リアケース７が光軸方向に略垂直な平面を形成する板状部材と、板状部材の外縁部から光軸方向前方に突出した側面を有するなどの形状であっても良い。つまり、フロントケース１とリアケース７とは、連結されることで筐体（ケース）を形成する任意の形状を採用可能である。また、フロントケース１及びリアケース７の間に必ずしもレンズフランジ４が配置される構成とする必要はなく、フロントケース１及びリアケース７の内側にレンズフランジ４を収容させる構成としても良い。
【産業上の利用可能性】
【００６２】
本発明は、例えば、特に精度良く光軸を調整することが求められる車載用の撮像装置などとして好適に利用される。
【符号の説明】
【００６３】
１…フロントケース
２…レンズ鏡筒
２１…レンズ
３…防水シール
４…レンズフランジ
５、５４、５６…基板
５１…撮像素子
５２ａ…第１Ｖ字部
５２ｂ…第２Ｖ字部
５５ａ、５５ｂ、５７ａ、５７ｂ…切欠部
６…防水シール
７…リアケース
８１ａ、８１ｂ、８２ａ〜８２ｄ…連結ねじ
９…治具
９１ａ、９１ｂ…突起部
９２…本体部
９３ａ、９３ｂ…切欠部
【図１】
2019029725.tif 000003
【図２】
2019029725.tif 000004
【図３】
2019029725.tif 000005
【図４】
2019029725.tif 000006
【図５】
2019029725.tif 000007
【図６】
2019029725.tif 000008
【図７】
2019029725.tif 000009
【図８】
2019029725.tif 000010
【図９】
2019029725.tif 000011